(57)【要約】【課題】  録画した部分が消去されないように追っかけ再生のための録画を行うことができる。【解決手段】  制御部１０は、通常再生中にその一時停止が指令されると、再生制御部１６を制御して、その再生を一時停止させるとともに、録画制御部１３を制御して、それ以降に再生されるべき場面の番組データの、バッファ１５への記憶を開始させる（追っかけ再生用の録画を開始させる）。そして一時停止が解除されたとき、制御部１０は、録画制御部１３を制御して、番組データのバッファ１５への記憶を終了させるとともに、再生制御部１６を制御して、バッファ１５に記憶された番組データの再生を開始させる（追っかけ再生が開始される）。制御部１０は、追っかけ再生用の録画において、バッファ１５のバッファ全部に番組データが記憶され、バッファ１５がいっぱいになったとき、追っかけ再生用の録画を終了させる。【選択図】  図１
2005295349.tif 000002
【特許請求の範囲】
【請求項１】
動画を再生する再生手段と、
前記再生手段による前記動画の再生の一時停止指令を入力する第１の指令入力手段と、
前記動画再生の一時停止の解除指令を入力する第２の指令入力手段と、
前記動画再生の一時停止指令が入力されたとき、前記再生手段による前記動画の再生を一時停止するとともに、それ以降に再生される前記動画のバッファへの記憶を開始し、その後前記動画再生の一時停止の解除指令が入力されたとき、前記動画の前記バッファへの記憶を終了して、前記バッファに記憶された前記動画の再生を開始する録画再生手段と
を備え、
前記録画再生手段は、前記バッファに、前記動画を記憶できるメモリ領域が存在しなくなったとき、前記動画の前記バッファへの記憶を終了する
ことを特徴とする録画再生装置。
【請求項２】
所定の時間を指定する指定手段をさらに備え、
前記録画再生手段は、前記動画再生の一時停止指令が入力されたとき、前記動画の再生を一時停止するとともに、再生が一時停止されたときから、前記指定手段により指定された前記時間だけ再生される前記動画の前記バッファへの記憶を開始し、その後前記動画再生の一時停止の解除指令が入力されたとき、前記動画の前記バッファへの記憶を終了して、前記バッファに記憶された前記動画の再生を開始する
ことを特徴とする請求項１に記載の録画再生装置。
【請求項３】
前記動画は、１つの番組を構成し、
前記録画再生手段は、前記動画再生の一時停止指令が入力されたとき、前記動画の再生を一時停止するとともに、再生が一時停止された番組の、再生が一時停止された所から番組終了までの前記バッファへの記憶を開始し、その後前記動画再生の一時停止の解除指令が入力されたとき、前記動画の前記バッファへの記憶を終了して、前記バッファに記憶された前記動画の再生を開始する
ことを特徴とする請求項１に記載の録画再生装置。
【請求項４】
前記録画再生手段は、電子番組ガイド情報に基づいて、再生が一時停止された番組の終了時刻を検出し、検出した前記終了時刻に基づいて再生が一時停止されたときから番組終了までの再生時間を算出する
ことを特徴とする請求項３に記載の録画再生装置。
【請求項５】
動画を再生する再生ステップと、
前記再生ステップでの処理による前記動画の再生の一時停止指令を入力する第１の指令入力ステップと、
前記動画再生の一時停止の解除指令を入力する第２の指令入力ステップと、
前記動画再生の一時停止指令が入力されたとき、前記再生ステップでの処理による前記動画の再生を一時停止するとともに、それ以降に再生される前記動画のバッファへの記憶を開始し、その後前記動画再生の一時停止の解除指令が入力されたとき、前記動画の前記バッファへの記憶を終了して、前記バッファに記憶された前記動画の再生を開始する録画再生ステップと
を含み、
前記録画再生ステップは、前記バッファに、前記動画を記憶できるメモリ領域が存在しなくなったとき、前記動画の前記バッファへの記憶を終了する
ことを特徴とする録画再生方法。
【請求項６】
動画を再生する再生ステップと、
前記再生ステップでの処理による前記動画の再生の一時停止指令を入力する第１の指令入力ステップと、
前記動画再生の一時停止の解除指令を入力する第２の指令入力ステップと、
前記動画再生の一時停止指令が入力されたとき、前記再生ステップでの処理による前記動画の再生を一時停止するとともに、それ以降に再生される前記動画のバッファへの記憶を開始し、その後前記動画再生の一時停止の解除指令が入力されたとき、前記動画の前記バッファへの記憶を終了して、前記バッファに記憶された前記動画の再生を開始する録画再生ステップと
を含み、
前記録画再生ステップは、前記バッファに、前記動画を記憶できるメモリ領域が存在しなくなったとき、前記動画の前記バッファへの記憶を終了する
処理をコンピュータに実行させることを特徴とするプログラム。
【請求項７】
番組を構成する動画を再生する再生手段と、
前記再生手段による動画の再生の一時停止指令を入力する第１の指令入力手段と、
前記動画再生の一時停止の解除指令を入力する第２の指令入力手段と、
前記動画再生の一時停止指令が入力されたとき、前記再生手段による前記動画の再生を一時停止するとともに、一時停止された以降に再生される前記動画を、所定のバッファに記憶できる分だけ、前記バッファに記憶する第１のモード、一時停止されたときから、指定された時間だけ再生される前記動画を、前記バッファに記憶できる分だけ、前記バッファに記憶する第２のモード、または再生が一時停止された番組の、再生が一時停止されたところから番組終了までを、前記バッファに記憶できる分だけ、前記バッファに記憶する第３のモードのうちのいずれか１つのモードでの前記動画の所定のバッファへの記憶を開始し、その後前記動画再生の一時停止の解除指令が入力されたとき、前記動画の前記バッファへの記憶を終了して、前記バッファに記憶された前記動画の再生を開始する録画再生手段と
を備えることを特徴とする録画再生装置。
【請求項８】
前記第１のモード、前記第２のモード、または第３のモードのいずれか１つのモードを指定する指定手段をさらに備え、
前記録画再生手段は、前記動画再生の一時停止指令が入力されたとき、前記動画の再生を一時停止するとともに、前記指定手段により指定された前記モードでの前記動画の前記バッファへの記憶を開始し、その後前記動画再生の一時停止の解除指令が入力されたとき、前記動画の前記バッファへの記憶を終了して、前記バッファに記憶された前記動画の再生を開始する
ことを特徴とする請求項７に記載の録画再生装置。
【請求項９】
番組を構成する動画を再生する再生ステップと、
前記再生ステップでの処理による動画の再生の一時停止指令を入力する第１の指令入力ステップと、
前記動画再生の一時停止の解除指令を入力する第２の指令入力ステップと、
前記動画再生の一時停止指令が入力されたとき、前記再生ステップでの処理による前記動画の再生を一時停止するとともに、一時停止された以降に再生される前記動画を、所定のバッファに記憶できる分だけ、前記バッファに記憶する第１のモード、一時停止されたときから、指定された時間だけ再生される前記動画を、前記バッファに記憶できる分だけ、前記バッファに記憶する第２のモード、または再生が一時停止された番組の、再生が一時停止されたところから番組終了までを、前記バッファに記憶できる分だけ、前記バッファに記憶する第３のモードのうちのいずれか１つのモードでの前記動画の所定のバッファへの記憶を開始し、その後前記動画再生の一時停止の解除指令が入力されたとき、前記動画の前記バッファへの記憶を終了して、前記バッファに記憶された前記動画の再生を開始する録画再生ステップと
を含むことを特徴とする録画再生方法。
【請求項１０】
番組を構成する動画を再生する再生ステップと、
前記再生ステップでの処理による動画の再生の一時停止指令を入力する第１の指令入力ステップと、
前記動画再生の一時停止の解除指令を入力する第２の指令入力ステップと、
前記動画再生の一時停止指令が入力されたとき、前記再生ステップでの処理による前記動画の再生を一時停止するとともに、一時停止された以降に再生される前記動画を、所定のバッファに記憶できる分だけ、前記バッファに記憶する第１のモード、一時停止されたときから、指定された時間だけ再生される前記動画を、前記バッファに記憶できる分だけ、前記バッファに記憶する第２のモード、または再生が一時停止された番組の、再生が一時停止されたところから番組終了までを、前記バッファに記憶できる分だけ、前記バッファに記憶する第３のモードのうちのいずれか１つのモードでの前記動画の所定のバッファへの記憶を開始し、その後前記動画再生の一時停止の解除指令が入力されたとき、前記動画の前記バッファへの記憶を終了して、前記バッファに記憶された前記動画の再生を開始する録画再生ステップと
を含む処理をコンピュータに実行させることを特徴とするプログラム。
【発明の詳細な説明】
【技術分野】
【０００１】
本発明は、録画再生装置および方法、並びにプログラムに関し、特に、追っかけ再生を適切に行うことができる録画再生装置および方法、並びにプログラムに関する。
【背景技術】
【０００２】
視聴中の放送番組を一時停止させておき、後で、その一時停止させた場面から視聴を再開できる機能（追っかけ再生機能）を有する装置（例えば、ビデオディスクレコーダ）が存在する。この機能により、番組視聴中に席を外しても、視聴者は、その間の内容を見逃すことなく、番組を視聴することができる。
【０００３】
この追っかけ再生は、一時停止がなされたとき、それ以降の番組のデータが、所定のバッファに録画されることによって行われるが（いわゆる裏で録画されることによって行われるが）、通常、その録画によって、そのバッファがいっぱいになった場合、古いデータから上書きされるようにして、追っかけ再生用の録画が継続される。
【０００４】
【特許文献１】特開平０７−３３６６３０号公報
【発明の開示】
【発明が解決しようとする課題】
【０００５】
しかしながら、このように古いデータが上書きされて追っかけ再生用の録画が行われると、上書きされたデータは消去されてしまうので、そのデータに対応する場面から追っかけ再生を開始することができなくなってしまう。消去された場面が視聴者にとって有用なものであることも少なくない。
【０００６】
本発明はこのような状況に鑑みてなされたものであり、追っかけ再生用の録画を、データが消去されないように行い、追っかけ再生を適切に行うことができるようにしたものである。
【課題を解決するための手段】
【０００７】
本発明によれば、第１の録画再生装置が提供される。この第１の録画再生装置は、動画を再生する再生手段と、再生手段による動画の再生の一時停止指令を入力する第１の指令入力手段と、動画再生の一時停止の解除指令を入力する第２の指令入力手段と、動画再生の一時停止指令が入力されたとき、再生手段による動画の再生を一時停止するとともに、それ以降に再生される動画のバッファへの記憶を開始し、その後動画再生の一時停止の解除指令が入力されたとき、動画のバッファへの記憶を終了して、バッファに記憶された動画の再生を開始する録画再生手段とを備え、録画再生手段は、バッファに、動画を記憶できるメモリ領域が存在しなくなったとき、動画のバッファへの記憶を終了することを特徴とする。
【０００８】
所定の時間を指定する指定手段をさらに備え、録画再生手段は、動画再生の一時停止指令が入力されたとき、動画の再生を一時停止するとともに、再生が一時停止されたときから、指定手段により指定された時間だけ再生される動画のバッファへの記憶を開始し、その後動画再生の一時停止の解除指令が入力されたとき、動画のバッファへの記憶を終了して、バッファに記憶された動画の再生を開始することができる。
【０００９】
動画は、１つの番組を構成し、録画再生手段は、動画再生の一時停止指令が入力されたとき、動画の再生を一時停止するとともに、再生が一時停止された番組の、再生が一時停止された所から番組終了までのバッファへの記憶を開始し、その後動画再生の一時停止の解除指令が入力されたとき、動画のバッファへの記憶を終了して、バッファに記憶された動画の再生を開始することができる。
【００１０】
録画再生手段は、電子番組ガイド情報に基づいて、再生が一時停止された番組終了時刻を検出し、検出した番組終了時刻に基づいて再生が一時停止されたときから番組終了までの再生時間を算出することができる。
【００１１】
本発明によれば、第１の録画再生方法が提供される。この第１の録画再生方法は、動画を再生する再生ステップと、再生ステップでの処理による動画の再生の一時停止指令を入力する第１の指令入力ステップと、動画再生の一時停止の解除指令を入力する第２の指令入力ステップと、動画再生の一時停止指令が入力されたとき、再生ステップでの処理による動画の再生を一時停止するとともに、それ以降に再生される動画のバッファへの記憶を開始し、その後動画再生の一時停止の解除指令が入力されたとき、動画のバッファへの記憶を終了して、バッファに記憶された動画の再生を開始する録画再生ステップとを含み、録画再生ステップは、バッファに、動画を記憶できるメモリ領域が存在しなくなったとき、動画のバッファへの記憶を終了することを特徴とする。
【００１２】
本発明によれば、第１のプログラムが提供される。この第１のプログラムは、動画を再生する再生ステップと、再生ステップでの処理による動画の再生の一時停止指令を入力する第１の指令入力ステップと、動画再生の一時停止の解除指令を入力する第２の指令入力ステップと、動画再生の一時停止指令が入力されたとき、再生ステップでの処理による動画の再生を一時停止するとともに、それ以降に再生される動画のバッファへの記憶を開始し、その後動画再生の一時停止の解除指令が入力されたとき、動画のバッファへの記憶を終了して、バッファに記憶された動画の再生を開始する録画再生ステップとを含み、録画再生ステップは、バッファに、動画を記憶できるメモリ領域が存在しなくなったとき、動画のバッファへの記憶を終了する処理をコンピュータに実行させることを特徴とする。
【００１３】
本発明の第１の録画再生装置および方法、並びにプログラムにおいては、動画が再生され、動画の再生の一時停止指令が入力され、動画再生の一時停止の解除指令が入力され、動画再生の一時停止指令が入力されたとき、動画の再生が一時停止されるとともに、それ以降に再生される動画のバッファへの記憶が開始され、その後動画再生の一時停止の解除指令が入力されたとき、動画のバッファへの記憶が終了されて、バッファに記憶された動画の再生が開始され、バッファに、動画を記憶できるメモリ領域が存在しなくなったとき、動画のバッファへの記憶が終了される。
【００１４】
本発明によれば、第２の録画再生装置が提供される。この第２の録画再生装置は、番組を構成する動画を再生する再生手段と、再生手段による動画の再生の一時停止指令を入力する第１の指令入力手段と、動画再生の一時停止の解除指令を入力する第２の指令入力手段と、動画再生の一時停止指令が入力されたとき、再生手段による動画の再生を一時停止するとともに、一時停止された以降に再生される動画を、所定のバッファに記憶できる分だけ、バッファに記憶する第１のモード、一時停止されたときから、指定された時間だけ再生される動画を、バッファに記憶できる分だけ、バッファに記憶する第２のモード、または再生が一時停止された番組の、再生が一時停止されたところから番組終了までを、バッファに記憶できる分だけ、バッファに記憶する第３のモードのうちのいずれか１つのモードでの動画の所定のバッファへの記憶を開始し、その後動画再生の一時停止の解除指令が入力されたとき、動画のバッファへの記憶を終了して、バッファに記憶された動画の再生を開始する録画再生手段とを備えることを特徴とする。
【００１５】
第１のモード、第２のモード、または第３のモードのいずれか１つのモードを指定する指定手段をさらに備え、録画再生手段は、動画再生の一時停止指令が入力されたとき、動画の再生を一時停止するとともに、指定手段により指定されたモードでの動画のバッファへの記憶を開始し、その後動画再生の一時停止の解除指令が入力されたとき、動画のバッファへの記憶を終了して、バッファに記憶された動画の再生を開始することができる。
【００１６】
本発明によれば、第２の録画再生方法が提供される。この第２の録画再生方法は、番組を構成する動画を再生する再生ステップと、再生ステップでの処理による動画の再生の一時停止指令を入力する第１の指令入力ステップと、動画再生の一時停止の解除指令を入力する第２の指令入力ステップと、動画再生の一時停止指令が入力されたとき、再生ステップでの処理による動画の再生を一時停止するとともに、一時停止された以降に再生される動画を、所定のバッファに記憶できる分だけ、バッファに記憶する第１のモード、一時停止されたときから、指定された時間だけ再生される動画を、バッファに記憶できる分だけ、バッファに記憶する第２のモード、または再生が一時停止された番組の、再生が一時停止されたところから番組終了までを、バッファに記憶できる分だけ、バッファに記憶する第３のモードのうちのいずれか１つのモードでの動画の所定のバッファへの記憶を開始し、その後動画再生の一時停止の解除指令が入力されたとき、動画のバッファへの記憶を終了して、バッファに記憶された動画の再生を開始する録画再生ステップとを含むことを特徴とする。
【００１７】
本発明によれば、第２のプログラムが提供される。この第２のプログラムは、番組を構成する動画を再生する再生ステップと、再生ステップでの処理による動画の再生の一時停止指令を入力する第１の指令入力ステップと、動画再生の一時停止の解除指令を入力する第２の指令入力ステップと、動画再生の一時停止指令が入力されたとき、再生ステップでの処理による動画の再生を一時停止するとともに、一時停止された以降に再生される動画を、所定のバッファに記憶できる分だけ、バッファに記憶する第１のモード、一時停止されたときから、指定された時間だけ再生される動画を、バッファに記憶できる分だけ、バッファに記憶する第２のモード、または再生が一時停止された番組の、再生が一時停止されたところから番組終了までを、バッファに記憶できる分だけ、バッファに記憶する第３のモードのうちのいずれか１つのモードでの動画の所定のバッファへの記憶を開始し、その後動画再生の一時停止の解除指令が入力されたとき、動画のバッファへの記憶を終了して、バッファに記憶された動画の再生を開始する録画再生ステップとを含む処理をコンピュータに実行させることを特徴とする。
【００１８】
本発明の第２の録画再生装置および方法、並びにプログラムにおいては、番組を構成する動画が再生され、動画の再生の一時停止指令が入力され、動画再生の一時停止の解除指令が入力され、動画再生の一時停止指令が入力されたとき、動画の再生が一時停止されるとともに、一時停止された以降に再生される動画を、所定のバッファに記憶できる分だけ、バッファに記憶する第１のモード、一時停止されたときから、指定された時間だけ再生される動画を、バッファに記憶できる分だけ、バッファに記憶する第２のモード、または再生が一時停止された番組の、再生が一時停止されたところから番組終了までを、バッファに記憶できる分だけ、バッファに記憶する第３のモードのうちのいずれか１つのモードでの動画の所定のバッファへの記憶が開始され、その後動画再生の一時停止の解除指令が入力されたとき、動画のバッファへの記憶が終了されて、バッファに記憶された動画の再生が開始される。
【発明の効果】
【００１９】
本発明によれば、追っかけ再生用の録画を、適切に行うことができる。
【発明を実施するための最良の形態】
【００２０】
以下に本発明の実施の形態を説明するが、本明細書に記載の発明と、発明の実施の形態との対応関係を例示すると、次のようになる。この記載は、本明細書に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２１】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により出現、追加される発明の存在を否定するものではない。
【００２２】
本発明の第１の録画再生装置は、動画を再生する再生手段（例えば、図１の制御部１０，再生制御部１６）と、再生手段による動画の再生の一時停止指令を入力する第１の指令入力手段（例えば、図１の操作入力部１１）と、動画再生の一時停止の解除指令を入力する第２の指令入力手段（例えば、図１の操作入力部１１）と、動画再生の一時停止指令が入力されたとき、再生手段による動画の再生を一時停止するとともに、それ以降に再生される動画のバッファ（例えば、図１のバッファ１５）への記憶を開始し、その後動画再生の一時停止の解除指令が入力されたとき、動画のバッファへの記憶を終了して、バッファに記憶された動画の再生を開始する録画再生手段（例えば、図１の制御部１０，録画制御部１３，再生制御部１６）とを備え、録画再生手段は、バッファに、動画を記憶できるメモリ領域が存在しなくなったとき、動画のバッファへの記憶を終了することを特徴とする。
【００２３】
所定の時間を指定する指定手段（例えば、図６のボックスＭＢ）をさらに備え、録画再生手段は、動画再生の一時停止指令が入力されたとき、動画の再生を一時停止するとともに、再生が一時停止されたときから、指定手段により指定された時間だけ再生される動画のバッファへの記憶を開始し、その後動画再生の一時停止の解除指令が入力されたとき、動画のバッファへの記憶を終了して、バッファに記憶された動画の再生を開始することができる（例えば、図３のステップＳ１０乃至ステップＳ１１，ステップＳ２１乃至ステップＳ２５の処理を行う図１の制御部１０，録画制御部１３，再生制御部１６）。
【００２４】
動画は、１つの番組を構成し、録画再生手段は、動画再生の一時停止指令が入力されたとき、動画の再生を一時停止するとともに、再生が一時停止された番組の、再生が一時停止された所から番組終了までのバッファへの記憶を開始し、その後動画再生の一時停止の解除指令が入力されたとき、動画のバッファへの記憶を終了して、バッファに記憶された動画の再生を開始することができる（例えば、図３のステップＳ１０乃至ステップＳ１１，ステップＳ１５乃至ステップＳ２０の処理を行う図１の制御部１０，録画制御部１３，再生制御部１６）。
【００２５】
録画再生手段は、電子番組ガイド情報に基づいて、再生が一時停止された番組終了時刻を検出し、検出した番組終了時刻に基づいて再生が一時停止されたときから番組終了までの再生時間を算出することができる（例えば、ステップＳ１５の処理を行う図１の制御部１０）。
【００２６】
本発明の第２の録画再生装置は、番組を構成する動画を再生する再生手段（例えば、図１の制御部１０，再生制御部１６）と、再生手段による動画の再生の一時停止指令を入力する第１の指令入力手段（例えば、図１の操作入力部１１）と、動画再生の一時停止の解除指令を入力する第２の指令入力手段（例えば、図１の操作入力部１１）と、動画再生の一時停止指令が入力されたとき、再生手段による動画の再生を一時停止するとともに、一時停止された以降に再生される動画を、所定のバッファに記憶できる分だけ、バッファに記憶する第１のモード、一時停止されたときから、指定された時間だけ再生される動画を、バッファに記憶できる分だけ、バッファに記憶する第２のモード、または再生が一時停止された番組の、再生が一時停止されたところから番組終了までを、バッファに記憶できる分だけ、バッファに記憶する第３のモードのうちのいずれか１つのモードでの動画の所定のバッファへの記憶を開始し、その後動画再生の一時停止の解除指令が入力されたとき、動画のバッファへの記憶を終了して、バッファに記憶された動画の再生を開始する録画再生手段（例えば、図１の制御部１０，録画制御部１３，再生制御部１６）とを備えることを特徴とする。
【００２７】
第１のモード、第２のモード、または第３のモードのいずれか１つのモードを指定する指定手段を（例えば、図６のマークＭ２乃至Ｍ４，ボックスＭＢ）さらに備え、録画再生手段は、動画再生の一時停止指令が入力されたとき、動画の再生を一時停止するとともに、指定手段により指定されたモードでの動画のバッファへの記憶を開始し、その後動画再生の一時停止の解除指令が入力されたとき、動画のバッファへの記憶を終了して、バッファに記憶された動画の再生を開始することができる。
【００２８】
図１は、本発明を適用した録画再生装置１の構成例を示している。
【００２９】
操作入力部１１は、キーボードやマウスなどの操作デバイス（図示せず）、または表示部１８上に表示される各種ボタンに対する操作内容を入力し、制御部１０に通知する。
【００３０】
映像／音声入力部１２は、録画再生装置１に供給された、例えば、図示せぬチューナにより受信された放送番組を構成する映像や音声のデータ（以下、番組データと称する）を入力し、録画制御部１３の取り扱いに適したデータ形式に変換し、録画制御部１３に供給する。
【００３１】
録画制御部１３は、制御部１０による制御に従って、映像／音声入力部１２から入力された番組データを、記録メディア１４またはバッファ１５に記憶する。通常の番組録画の際には、番組データは記録メディア１４に記憶され、後述する追っかけ再生の際には、番組データはバッファ１５に記憶される。
【００３２】
記録メディア１４は、磁気ディスク、光磁気ディスク、または半導体記録装置などで構成されており、録画制御部１３より供給されたデータを記録する。
【００３３】
バッファ１５は、一定量のメモリ領域を有しており、録画制御部１３から供給された番組データ（追っかけ再生用の番組データ）を一時的に記憶し、再生制御部１６に供給する。
【００３４】
再生制御部１６は、制御部１０による制御に従って、映像／音声入力部１２から入力された番組データ、または記録メディア１４若しくはバッファ１５に記憶された番組データを、出力部１７に供給する。
【００３５】
受信された放送番組をそのまま再生する場合（いわゆるライブ再生する場合）は、映像／音声入力部１２から供給された番組データが、出力部１７に供給される。録画した番組を再生する場合または録画しながら再生する場合は、記録メディア１４に記録された番組データが出力部１７に供給される。また追っかけ再生の際には、バッファ１５に記憶された番組データが出力部１７に供給される。
【００３６】
出力部１７は、再生制御部１６から供給された番組データを実際に表示部１８に表示したり、音声としてスピーカ（図示せず）から出力する。
【００３７】
制御部１０は、録画制御部１３および再生制御部１６を制御して、通常再生（例えば、ライブ再生）を実現する。
【００３８】
制御部１０はまた、録画制御部１３および再生制御部１６を制御して、追っかけ再生を実現する。詳細は後述するが、ライブ再生中にその一時停止が指令されると、制御部１０は、再生制御部１６を制御して、その再生を一時停止させるとともに、録画制御部１３を制御して、それ以降に再生される場面の番組データの、バッファ１５への記憶を開始させる（以下、追っかけ再生用の録画と称する）。そして追っかけ再生が指令されたとき（一時停止が解除されたとき）、制御部１０は、録画制御部１３を制御して、番組データのバッファ１５への記憶を終了させるとともに、再生制御部１６を制御して、バッファ１５に記憶された番組データの再生（追っかけ再生）を開始させる。
【００３９】
制御部１０は、追っかけ再生用の録画において、バッファ１５のメモリ領域全部に番組データが記憶され、バッファ１５に番組データを記憶できるメモリ領域が存在しなくなったとき、追っかけ再生用の録画を終了させる。このようにバッファ１５に番組を録画できるメモリ領域が存在しなくなったとき、追っかけ再生用の録画を終了させ、バッファ１５に記憶されたデータを保持するようにしたので（上書き録画をしないようにしたので）、追っかけ再生を適切に行うことができる。
【００４０】
次に、追っかけ再生処理を、図２および図３のフローチャートを参照して説明する。
【００４１】
ステップＳ１において、制御部１０は、再生制御部１６を制御して、映像／音声入力部１２から入力された番組データの出力部１７への供給を開始させ、ライブ再生を開始させる。このようにライブ再生が開始されると、図示せぬチューナにより受信された放送番組の映像（動画）が、図４に示すように、表示部１８の画面１８Ａに表示される。なお図４の画面１８Ａには、説明のために１枚の静止画が示されているが、実際の画面１８Ａには動画が表示される。
【００４２】
また画面１８Ｂにはこのとき、操作ボタンＢ１乃至Ｂ４が表示される。ユーザは、このボタンＢ１を操作することで、放送番組の再生を一時停止させることができ、ボタンＢ２を操作することで、放送番組の再生を終了させることができ、ボタンＢ３を操作することで、視聴中の放送番組を録画することができ、そしてボタンＢ４を操作することで、その録画を停止させることができる。
【００４３】
ステップＳ２において、制御部１０は、操作入力部１１から一時停止が指令されるまで待機する。図４の例では、ボタンＢ１が操作されまで待機する。
【００４４】
ステップＳ２で、一時停止が指令されたと判定されたとき（図４におけるボタンＢ１が操作されたとき）、ステップＳ３に進み、制御部１０は、再生制御部１６を制御して、ライブ再生を一時停止させる。このようにライブ再生が一時停止されると、図５に示すように、表示部１８の画面１８Ａには、一時停止が指令されたときの場面の画像（以下、一時停止画像と称する）が表示される。またこのとき表示部１８の画面１８Ｂには、ボタンＢ１乃至Ｂ４が表示されるが、その機能は図４における場合と異なる。すなわちユーザは、このときボタンＢ１を操作することで、一時停止状態から、追っかけ再生を開始させることができ、ボタンＢ２を操作することで、ライブ再生に戻ることができる。
【００４５】
次にステップＳ４において、制御部１０は、追っかけ再生用の録画を行わない旨の設定がなされているか否かを判定し、その旨が設定されていると判定した場合、ステップＳ５に進む。
【００４６】
この例の場合、ユーザは、所定のタイミングで表示部１８に表示される図６に示す操作画面１８ＣのマークＭ１にチェックを入れることで、追っかけ再生用の録画を行わない（すなわち追っかけ再生を行わない）旨を設定することができる。
【００４７】
マークＭ１がチェックされている場合、追っかけ再生用の録画を行わない旨が設定されていると判定され、ステップＳ５に進む。
【００４８】
ステップＳ５において、制御部１０は、ライブ再生の開始が指令されるまで待機し（一時停止画像が表示されている状態で、ボタンＢ２が操作されるまで待機し）（図５）、その指令があったとき、ステップＳ１に戻り、再生制御部１６を制御してライブ再生を開始させる。
【００４９】
すなわち追っかけ再生用の録画を行わない旨の設定がされている場合、表示部１８の画面１８Ａの画像は、一時停止画像から、ライブ再生を再開させたとき（図５におけるボタンＢ２を操作したとき）以降のライブ画像に切り替わるので、その間の場面をユーザは視聴できない。
【００５０】
ステップＳ４で、追っかけ再生用の録画を行わない旨が設定されていないと判定されたとき、図３のステップＳ６に進み、制御部１０は、追っかけ再生用の録画を、バッファ１５に番組データを記憶できるメモリ領域（空のメモリ領域）がなくなるまで行う旨の設定がなされているか否かを判定し、その旨が設定されていると判定した場合、ステップＳ７に進む。
【００５１】
ユーザは、図６に示す操作画面１８ＣのマークＭ２にチェックを入れることで、追っかけ再生用の録画を、バッファ１５のメモリ領域がなくなるまで行う旨を設定することができる。
【００５２】
マークＭ２がチェックされているとき、追っかけ再生用の録画を、バッファ１５のメモリ領域がなくなるまで行う旨が設定されていると判定され、ステップＳ７に進む。
【００５３】
ステップＳ７において、制御部１０は、録画制御部１３を介して、バッファ１５に番組データを記憶できるメモリ領域（空のメモリ領域）がまだ残っているか否かを判定し、まだ残っていると判定した場合、ステップＳ８に進み、録画制御部１３を制御して、一時停止が指令された以降に再生される場面の番組データの、バッファ１５への記憶を開始させる（追っかけ再生用の録画が開始される）。
【００５４】
次に、ステップＳ９において、制御部１０は、追っかけ再生の指令またはライブ再生の指令がなされたか否かを判定し（図５におけるボタンＢ１またはボタンＢ２が操作されたか否かを判定し）、そのような指令がなされていないと判定した場合、ステップＳ７に戻り、それ以降の処理を実行する。
【００５５】
ステップＳ９で、追っかけ再生の指令またはライブ再生の指令がなされたと判定されたとき、ステップＳ１０に進み、追っかけ再生が指令されたか否かを判定し、その指令がなされたと判定したとき（図５におけるボタンＢ１が操作されたとき）、ステップＳ１１に進む。
【００５６】
ステップＳ１１において、制御部１０は、録画制御部１３を制御して、ステップＳ８で開始された追っかけ再生用の録画を終了させるとともに、再生制御部１６を制御して、バッファ１５に記憶された番組データの再生を開始する（追っかけ再生が開始される）。その結果、図４に示した場合と同様に、表示部１８の画面１８Ａには、一時停止されたとき以降の動画が表示される。なおこのときのボタンＢ１を操作することで、追っかけ再生を一時停止させることができる。
【００５７】
ステップＳ１０で、追っかけ再生の指令ではないと判定されたとき（ライブ再生の指令であるとき）、ステップＳ１２に進み、制御部１０は、録画制御部１３を制御して、ステップＳ８で開始された追っかけ再生用の録画を終了させるとともに、再生制御部１６を制御して、ライブ再生を開始させる。このときバッファ１５に記憶された追っかけ再生用の番組データは消去される。
【００５８】
ステップＳ７で、バッファ１５にメモリ領域がなくなったと判定されたとき、ステップＳ１３に進み、制御部１０は、録画制御部１３を制御して、ステップＳ８で開始された追っかけ再生用の録画を終了させるとともに、再生制御部１６を制御して、表示部１８に、その旨を表すメッセージを表示させる。
【００５９】
ステップＳ６において、バッファ１５のメモリ領域がなくなるまで追っかけ再生用の録画を行う旨の設定がなされていないと判定された場合、ステップＳ１４に進む。
【００６０】
ステップＳ１４において、制御部１０は、追っかけ再生用の録画を、いま視聴している番組の終了まで行う旨の設定がなされているか否かを判定し、その旨が設定されている場合、ステップＳ１５に進む。
【００６１】
ユーザは、図６に示す操作画面１８ＣのマークＭ３をチェックすることで、追っかけ再生用の録画を、いま視聴している番組終了まで行う旨を設定することができる。
【００６２】
マークＭ３がチェックされているとき、いま視聴している番組終了まで行う旨が設定されていると判定され、ステップＳ１５に進む。
【００６３】
ステップＳ１５において、制御部１０は、いま再生されている番組（いま視聴されている番組）の終了時刻を、別途取得したＥＰＧ（電子番組ガイド）情報から検出し、一時停止された場面から番組の終了時刻までの時間（Ｎ時間）を算出する。制御部１０は、算出したＮ時間を計測するために、内蔵するタイマーをスタートさせる。
【００６４】
次に、ステップＳ１６において、制御部１０は、バッファ１５に番組データを記憶できるメモリ領域がまだ残っているか否かを判定し、まだ残っていると判定した場合、ステップＳ１７に進み、録画制御部１３を制御して、一時停止された場面からの番組データの、バッファ１５への記憶を開始させる。
【００６５】
ステップＳ１８において、制御部１０は、ステップＳ１５でスタートさせたタイマーを参照して、番組終了までのＮ時間が経過したか否かを判定する。
【００６６】
ステップＳ１８で、Ｎ時間経過していないと判定されたとき、ステップＳ１９に進み、制御部１０は、追っかけ再生の指令またはライブ再生の指令がなされたか否かを判定し、そのような指令がなされていないと判定した場合、ステップＳ１６に戻り、それ以降の処理を実行する。
【００６７】
ステップＳ１９で、追っかけ再生の指令またはライブ再生の指令がなされたとき、ステップＳ１０に進み、追っかけ再生が指令されたか否かを判定し、その指令がなされたと判定したとき、ステップＳ１１に進み、その指令がなされていないと判定したとき、ステップＳ１２に進む。ステップＳ１１またはステップＳ１２の処理については、上述しているので、ここではその説明を省略する。
【００６８】
ステップＳ１６で、バッファ１５に番組データを記憶するメモリ領域が残っていないと判定されたとき、またはステップＳ１８で、Ｎ時間経過したと判定されたとき、ステップＳ２０に進み、制御部１０は、録画制御部１３を制御して、追っかけ再生用の録画を終了させるとともに、再生制御部１６を制御して、その旨を表すメッセージを表示部１８に表示させる。
【００６９】
ステップＳ１４で、追っかけ再生用の録画を、いま視聴している番組終了まで行う旨が設定されていないと判定されたとき、ステップＳ２１に進み、それ以降において、制御部１０は、追っかけ再生用の録画を、ユーザにより指定された時間だけ行う処理を開始する。
【００７０】
ユーザは、図６に示す操作画面１８ＣのマークＭ４をチェックすることで、追っかけ再生用の録画を指定した時間だけ行う旨を設定することができ、ボックスＭＢにその時間を指定することができる。
【００７１】
ステップＳ２１において、制御部１０は、バッファ１５に番組データを記憶できるメモリ領域がまだ残っているか否かを判定し、まだ残っていると判定した場合、ステップＳ２２に進み、録画制御部１３を制御して、一時停止された場面からの番組データの、バッファ１５への記憶を開始させる（追っかけ再生用の録画が開始される）。なおこのとき制御部１０は、指定されたＭ時間を計測するために、内蔵するタイマーをスタートさせる。
【００７２】
ステップＳ２３において、制御部１０は、ユーザにより指定されたＭ時間が経過したか否かを判定し、経過していないと判定したとき、ステップＳ２４に進む。
【００７３】
ステップＳ２４において、制御部１０は、追っかけ再生の指令またはライブ再生の指令がなされたか否かを判定し、そのような指令がなされていないと判定した場合、ステップＳ２１に戻り、それ以降の処理を実行する。
【００７４】
ステップＳ２４で、追っかけ再生の指令またはライブ再生の指令がなされたとき、ステップＳ１０に進み、追っかけ再生が指令されたか否かを判定し、その指令がなされたと判定されたとき、ステップＳ１１に進み、その指令がなされていないと判定されたとき、ステップＳ１２に進む。ステップＳ１１およびステップＳ１２の処理は、上述しているので、ここではその説明を省略する。
【００７５】
ステップＳ２１で、バッファ１５に番組データを記憶するメモリ領域が残っていないと判定されたとき、またはステップＳ２３で、指定されたＭ時間が経過したと判定されたとき、ステップＳ２５に進み、制御部１０は、録画制御部１３を制御して、追っかけ再生用の録画を終了させるとともに、再生制御部１６を制御して、その旨を表すメッセージを表示部１８に表示させる。
【００７６】
以上のように、追っかけ再生用の録画において、バッファ１５のメモリ領域全部に番組データが記憶され、バッファ１５に番組データを記憶できるメモリ領域が存在しなくなったとき、追っかけ再生用の録画を終了させ（ステップＳ１３，Ｓ２０，Ｓ２５）、バッファ１５に記憶されたデータが保持されるようにしたので、追っかけ再生を適切に行うことができる。
【００７７】
上述した一連の処理は、ハードウエアにより実現させることもできるが、ソフトウエアにより実現させることもできる。一連の処理をソフトウエアにより実現する場合には、そのソフトウエアを構成するプログラムがコンピュータにインストールされ、そのプログラムがコンピュータで実行されることより、上述した管理装置２が機能的に実現される。
【００７８】
図７は、上述のようなコンピュータ１の他の構成例を示している。CPU（Central Processing Unit）１１１にはバス１１５を介して入出力インタフェース１１６が接続されており、CPU１１１は、入出力インタフェース１１６を介して、ユーザから、キーボード、マウスなどよりなる入力部１１８から指令が入力されると、例えば、ROM（Read Only Memory）１１２、ハードディスク１１４、またはドライブ１２０に装着される磁気ディスク１３１、光ディスク１３２、光磁気ディスク１３３、若しくは半導体メモリ１３４などの記録媒体に格納されているプログラムを、RAM（Random Access Memory）１１３にロードして実行する。これにより、上述した各種の処理が行われる。さらに、CPU１１１は、その処理結果を、例えば、入出力インタフェース１１６を介して、LCD（Liquid Crystal Display）などよりなる表示部１１７に必要に応じて出力する。なお、プログラムは、ハードディスク１１４やROM１１２に予め記憶しておき、コンピュータ１０１と一体的にユーザに提供したり、磁気ディスク１３１、光ディスク１３２、光磁気ディスク１３３，半導体メモリ１３４等のパッケージメディアとして提供したり、衛星、ネットワーク等から通信部１１９を介してハードディスク１１４に提供することができる。
【００７９】
なお、本明細書において、記録媒体により提供されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【００８０】
【図１】本発明を適用した録画再生装置の構成例を示すブロック図である。
【図２】追っかけ再生処理を説明するためのフローチャートである。
【図３】追っかけ再生処理を説明するためのフローチャートである。
【図４】図１の表示部の表示例を示す図である。
【図５】図１の表示部の他の表示例を示す図である。
【図６】追っかけ再生用の録画のための操作画面の例を示す図である。
【図７】コンピュータの構成例を示すブロック図である。
【符号の説明】
【００８１】
１  録画再生装置，  １１  操作入力部，  １２  映像／音声入力部，  １３  録画制御部，  １４  記録メディア，  １５  バッファ，  １６  再生制御部，  １７  出力部，  １８  表示部
【図１】
2005295349.tif 000003
【図２】
2005295349.tif 000004
【図３】
2005295349.tif 000005
【図４】
2005295349.tif 000006
【図５】
2005295349.tif 000007
【図６】
2005295349.tif 000008
【図７】
2005295349.tif 000009